(57)【要約】  【課題】通信指令システムにおける自動出動編成に関して、指令書によらないで出動した人員と車両であっても、自動的に新たな事案に取り込む、もしくは、指令員が事案や出動済み車両を選択して自動的に事案に取り込むようにする。  【解決手段】指令手段は、指令外出動車両に関する隊編成をデータベースサーバに作成し、同指令外出動車両に関する隊編成を、出動指示で指令された隊編成に取り込む。また、指令外出動車両がそれぞれ１つだけの場合、隊編成に自動的に取込み、さらに、出動指示による隊編成や指令外出動車両が複数存在する時、指令員からの選択指示に従って隊編成に取り込む。また、出動車両取込機能の対象となる指令外出動車両を予め設定しておき、対象となる指令外出動車両の不必要な取込みを防止する。【選択図】図１２
2008186177.tif 000002
【特許請求の範囲】
【請求項１】
緊急通報を受付けてその現場へ出動する隊員及び車両を指定して隊編成データを作成し特定の署所及び／又は車両に出動指示を出す指令手段と、前記隊編成に必要な車両や人員に関する情報と前記車両の動態に関する情報とを管理する記憶手段と、前記指令手段及び記憶手段と通信回線を介して接続され、前記署所及び車両にそれぞれ設けられた端末とを備え、
前記出動指示で出動した指令済出動車両と、前記出動指示以外で出動した指令外出動車両とが特定の現場へ出動したとき、
前記指令手段は、前記指令外出動車両に設けられた端末から送信される前記指令外出動車両の種類と動態と出動時刻との各種情報により、前記指令外出動車両に関する隊編成データを作成する指令外出動編成作成手段と、同指令外出動車両に関する隊編成データを、前記指令済出動車両の隊編成データに取り込む出動車両取込手段を備えてなることを特徴とする通信指令システム。
【請求項２】
前記指令手段は、前記出動指示による隊編成と前記指令外出動車両とがそれぞれ１つだけの場合、自動的に前記出動車両取り込みを実施してなることを特徴とする請求項１記載の通信指令システム。
【請求項３】
前記指令手段は、選択指示を受け付ける選択手段を備えてなり、
前記出動指示による隊編成、または前記指令外出動車両が複数存在する時に、前記選択手段で受け付けた選択指示に従って前記出動車両取り込みを実施してなることを特徴とする請求項１記載の通信指令システム。
【請求項４】
前記指令手段は、前記出動車両取り込みの対象となる車両の種類と動態及び前記出動指示の指令時刻と前記指令外出動車両の出動時刻との時間差のうち、いずれか１つ以上の項目を前記記憶手段に記憶し、
前記記憶手段にて記憶した項目のうち、いずれか１以上の項目を抽出し、この項目に関する情報ついて、前記指令外出動車両と前記指令済出動車両を比較し、前記出動車両取込手段の対象となる前記指令外出動車両を選択してなることを特徴とする請求項１乃至請求項３のいずれかに記載の通信指令システム。
【請求項５】
緊急通報を受付けてその現場へ出動する隊員及び車両を指定して隊編成データを作成し特定の署所及び／又は車両に出動指示を出す指令手段と、前記隊編成に必要な車両や人員に関する情報と前記車両の動態に関する情報とを管理する記憶手段と、前記指令手段及び記憶手段と通信回線を介して接続され、前記署所及び車両にそれぞれ設けられた端末とを備えた通信指令システムで用いられ、
前記出動指示で出動した指令済出動車両と、前記出動指示以外で出動した指令外出動車両とが特定の現場へ出動したとき、
前記指令手段は、前記指令外出動車両に設けられた端末から送信される前記指令外出動車両の種類と動態と出動時刻との各種情報により、前記指令外出動車両に関する隊編成データを作成する指令外出動編成作成手段と、同指令外出動車両に関する隊編成データを、前記指令済出動車両の隊編成データに取り込む出動車両取込手段とを実行してなることを特徴とする通信指令プログラム。
【発明の詳細な説明】
【技術分野】
【０００１】
本発明は、消防署や警察署などに設置される通信指令システムに関するものであり、より詳細には、すでに出動済みの車両や隊員について、新たな事案における出動編成への組み入れを自動的に行なうようにした通信指令システム及び通信指令プログラムに関するものである。
【背景技術】
【０００２】
従来より、緊急時の火災、災害の連絡や救急の要請に基づいて、緊急車両の出動指示を行うための通信指令システムが存在している。このシステムは例えば図１のシステム構成図に示すように、通報者からの通報により災害場所から近い署所又は車両から必要な隊員及び車両を編成して出動の指令を出す指令手段である指令台１１と、この指令台１１における編成に用いる各署所及び車両にいる隊員の情報を格納した記憶手段であるデータベースサーバ１２と、指令台１１からの出動指令を受信する署所端末１３ａ、１３ｂと、出動中の車両と無線によって通信するための無線送受信端末１４と、出動中の各車両に積載され、隊員の現在の状態と車両の動態や現在位置とを送信すると共に、指令台１１からの指令を受信するための車載端末１５ａ、１５ｂとから構成されている。なお、通報者の使用する通報元電話機１６が、公衆回線網を介して指令台１１と接続されている。
【０００３】
また、本部２０（緊急指令施設）には、指令台１１と、データベースサーバ１２と、無線送受信端末１４とが設置され、これらはＬＡＮ(Local Area Network)や専用回線などの構内回線網Ｎに接続されており、相互にデータ（音声データも含む）を送受信できるようになっている。さらに、この構内回線網Ｎには本部２０から離れた署所内にそれぞれ設置された署所端末１３ａ、１３ｂが接続されており、本部２０からの指令（出動指令書など）や本部２０への報告を送受信できるようになっている。
【０００４】
このような構成において、公衆回線網を介して本部２０（緊急指令施設）に緊急通報が入ると、指令台１１の指令員が通報者から通報者名、災害内容、発生場所、発生場所近辺の目標物、連絡先などの情報得て、これらの情報から、発生場所の特定、災害の内容の特定、出動レベルの設定などが行われ、これらの設定情報によって指定された条件により、出動隊の車両や隊員、およびその車両を保有する署所が設定されて、その署所に対して出動指令データおよび出動指令書が送られることとなる。
【０００５】
なお、これらの処理はシステム内の図示しない制御部において、所定の通信指令プログラムが実行されることで実現される。このようなシステムは通信回線で結ばれているため、制御部はこのシステム内のどこかに配置されていればよい。図１の例では指令台１１に備えられた制御部が出動編成の処理を行なうものとして説明する。
【０００６】
このような装置による出動隊の自動編成に当たり、出動車両は自動的に選択され、さらに、本部と関連署所との間での車両や要員の稼動状況を常時把握し、非常時には出動署所と出動車両の設定と、それぞれ適切な要員の割り当てとが行なわれ、特に特殊技能や経験を有する要員の適正配置や非常招集を含めての出動隊の自動編成が行なわれる。
【０００７】
さらに、全ての隊員の優先業務、役職、保有資格、出動可否、現在位置などの状況を常に把握して、通報があった場合には、この隊員の状況を参照して要求される隊員の選択を行い、また、選択した隊員に最も適切な車両を選択し、これらで隊編成を構成するようになっている（例えば、特許文献１参照。）。
【０００８】
図１４はこのようにして編成された内容を示す出動編成テーブルであり、データベースサーバ１２に格納されている。そして、この情報を基にして指令台から出動指令書が発行され、各署所へ送信される。また、システム内で管理される各車両からは、その車両の動態情報が搭載されている車載端末を介してデータベースサーバへ送信され、これを受信したデータベースサーバは出動車両の動態情報を逐次更新する。一方、この車両の動態情報は指令台１１の表示画面に所定のフォーマットで表示され、この情報に基づいて指令員が各車両に対して、これに備えられた車両端末を介して適切な指示を与えるようになっている。
【０００９】
図１４の例では、災害種別が火災である事案番号００１がすでに出動編成を完了し、２００４年１２月２１日、午前０時４１分００秒に出動指令書が発行され、現在この事案が進行中であることを示している。この事案に関しては、ポンプ１とタンク１との２台の車両が現在出動中であり、これらに搭乗している隊員コード（以下ＣＤと表記する）や指名、役職ＣＤ、資格ＣＤが何であるかが素早く認識できるようになっている。
【００１０】
一方、災害種別が救急である事案番号００２が、すでに出動編成を完了して出動指令を待っていることを示している。この情報をもとに事案２の出動指令書が発行されると、指令時刻が記録され、また、出動した車両から送られる動態情報により、出動車両の動態が『待機』から『出動』に更新される。
【００１１】
このような通信指令システムにおける自動出動編成機能は、主として出動前の車両や隊員の編成を目的としており、出動前であれば前述したように適切な人員と車両とを自動的に編成することが可能である。また、自動出動編成された隊編成に関しては、システム内で事案と対応して管理されているため、車両の出動から帰署に至るまで、指令台を介して詳細な管理を行なうことができる。
【００１２】
しかしながら、例えば災害現場が署所に近くて、通報者が直接署所に通報を行なった場合や、同時に進行している事案の数が多く、本部での自動出動編成に時間がかかる場合などは、該当署所での判断や本部からの指示（指令書以外の方法）により、該当署所が独自に出動車両と出動隊員とを選択して出動編成を行って現場に出動する場合がある。なお、本願ではこの車両を指令外出動車両、また、この出動編成を出動編成（指令外）と呼称する。一方、出動指令書で指定された出動車両を指令済出動車両、この出動編成を出動編成（指令済）と呼称する。
【００１３】
このような出動編成（指令外）については自動出動編成の対象外であり、事案に対応した管理を行なうために、出動編成（指令済）に取り込む必要がある。従来はこの取込みを行なうために、指令台の指令員が手動操作により出動編成に関連する複数のデータベースを個々に修正しなければならず、また、最も指令台が忙しい事案対応途中での修正作業は指令員の負担が大きく、さらに、修正作業が正確に行なわれない場合、例えば、実際には出動していない車両を事案に取り込んでしまうような場合、新たな混乱を招いてしまうことがあった。
【特許文献１】特開２００６−２１５８５５号公報（第９頁、図１）
【発明の開示】
【発明が解決しようとする課題】
【００１４】
本発明は以上述べた問題点を解決し、通信指令システムにおける自動出動編成に関して、指令書によらないで出動した人員と車両であっても、自動的に新たな事案に取り込む、もしくは、指令員が事案や出動済み車両を選択して自動的に事案に取り込むようにすることを目的とする。
【課題を解決するための手段】
【００１５】
本発明は上述の課題を解決するため、緊急通報を受付けてその現場へ出動する隊員及び車両を指定して隊編成データを作成し特定の署所及び／又は車両に出動指示を出す指令手段と、前記隊編成に必要な車両や人員に関する情報と前記車両の動態に関する情報とを管理する記憶手段と、前記指令手段及び記憶手段と通信回線を介して接続され、前記署所及び車両にそれぞれ設けられた端末とを備え、
前記出動指示で出動した指令済出動車両と、前記出動指示以外で出動した指令外出動車両とが特定の現場へ出動したとき、
前記指令手段は、前記指令外出動車両に設けられた端末から送信される前記指令外出動車両の種類と動態と出動時刻との各種情報により、前記指令外出動車両に関する隊編成データを作成する指令外出動編成作成手段と、同指令外出動車両に関する隊編成データを、前記指令済出動車両の隊編成データに取り込む出動車両取込手段を備える。
【００１６】
また、前記指令手段は、前記出動指示による隊編成と前記指令外出動車両とがそれぞれ１つだけの場合、自動的に前記出動車両取り込みを実施する。
【００１７】
もしくは、前記指令手段は、選択指示を受け付ける選択手段を備えてなり、
前記出動指示による隊編成、または前記指令外出動車両が複数存在する時に、前記選択手段で受け付けた選択指示に従って前記出動車両取り込みを実施する。
【００１８】
また、前記指令手段は、前記出動車両取り込みの対象となる車両の種類と動態及び前記出動指示の指令時刻と前記指令外出動車両の出動時刻との時間差のうち、いずれか１つ以上の項目を前記記憶手段に記憶し、
前記記憶手段にて記憶した項目のうち、いずれか１以上の項目を抽出し、この項目に関する情報ついて、前記指令外出動車両と前記指令済出動車両を比較し、前記出動車両取込手段の対象となる前記指令外出動車両を選択する。
【００１９】
もしくは、緊急通報を受付けてその現場へ出動する隊員及び車両を指定して隊編成データを作成し特定の署所及び／又は車両に出動指示を出す指令手段と、前記隊編成に必要な車両や人員に関する情報と前記車両の動態に関する情報とを管理する記憶手段と、前記指令手段及び記憶手段と通信回線を介して接続され、前記署所及び車両にそれぞれ設けられた端末とを備えた通信指令システムで用いられ、
前記出動指示で出動した指令済出動車両と、前記出動指示以外で出動した指令外出動車両とが特定の現場へ出動したとき、
前記指令手段は、前記指令外出動車両に設けられた端末から送信される前記指令外出動車両の種類と動態と出動時刻との各種情報により、前記指令外出動車両に関する隊編成データを作成する指令外出動編成作成手段と、同指令外出動車両に関する隊編成データを、前記指令済出動車両の隊編成データに取り込む出動車両取込手段とを実行する通信指令プログラムを用いる。
【発明の効果】
【００２０】
以上の手段を用いることにより、本発明による通信指令システムによれば、
請求項１に係わる発明は、出動編成（指令外）を出動編成（指令済）の隊編成に取り込むことができ、隊編成の変更に伴う指令員の負担を低減させ、また、隊編成の修正作業を正確に行なうことができる。
【００２１】
請求項２に係わる発明は、出動編成（指令済）と指令外出動車両とがそれぞれ１つだけの場合、自動的に出動編成（指令済）の隊編成に取り込むので、隊編成の変更に伴う指令員の負担がほとんどない。
【００２２】
請求項３に係わる発明は、出動編成（指令済）と指令外出動車両とが複数存在する時に、指令手段を操作する指令員からの選択指示に従って隊編成に取り込むので、隊編成の変更に伴う指令員の負担を最小限にすることができる。
【００２３】
請求項４に係わる発明は、出動車両取込機能の対象となる指令外出動車両を選択する選択条件を予め設定できるので、事案の解決に必要でない無駄な車両の取込みを防止することができる。
【００２４】
また、本発明による通信指令プログラムによれば、請求項５に係わる発明は、新規に出動車両取込機能を追加したり、既存の通信指令プログラムと代替することにより、指令外出動車両を、出動編成（指令済）に取り込むことができ、隊編成の変更に伴う指令員の負担を低減させ、また、隊編成の修正作業を正確に行なうことができる。
【発明を実施するための最良の形態】
【００２５】
以下、本発明の実施の形態を、添付図面に基づいた実施例として詳細に説明する。なお、背景技術で説明したブロック構成と同じ場合は、各ブロックに同じ番号を付与し、詳細な説明を省略する。
【実施例１】
【００２６】
本発明による通信指令システムの全体構成を図１に示す。なお、構成の説明については背景技術で説明してものと同じであるため、ここでの説明を省略する。ここでは記憶手段であるデータベースサーバ１２の内容説明と、これを用いた自動出動編成の作成方法を簡単に説明し、その後、本発明の特徴である『指令書によらないで出動した車両をこれより後に指令書を発行した事案に取り込む機能』、つまり、出動車両取込機能を、データベースサーバ１２に格納された各データを用いて説明する。
【００２７】
データベースサーバ１２には、指令台１１( 指令手段) における編成に用いる各署所又は出動中の車両にいる隊員の情報と車両に関する情報とが格納されており、これらの情報は変更がある度に構内回線Ｎを通じて更新され、常に最新の情報として管理されている。具体的には、以下に示す（ａ）〜（ｋ）のマスタ及びテーブルを用いて情報を管理している。
【００２８】
なお、本実施例においては、状況に応じて時々刻々と変化する情報をテーブルによって管理し、比較的更新の少ない情報をマスタによって管理するものとして説明を行っているが、情報をマスタとテーブルのどちらで管理するのかを限定するものではなく、情報を管理する場合の分類方法の一例として説明を行っている。
【００２９】
また、各マスタ及びテーブルにおいては、縦の列にあたる項目をフィールドとし、複数のフィールド項目を集めて出来た横に並んだ行の項目をレコードとする表形式のデータベース構造として説明を行っているが、これらのフィールドとレコードの構造も一例であり、本実施例の場合に限定されるものではない。
【００３０】
次にマスタ及びテーブルの内容について個々に説明する。
【００３１】
（ａ）隊員マスタ
図４に示すのは、隊員マスタであり、隊員毎に定められた番号である隊員コード（以下、ＣＤと表す）、所属している署所の場所を表した署所ＣＤ、隊員氏名、入隊年月日、隊員が保持する役職を表した役職ＣＤ１、複数の役職がある場合に次の役職を表す役職ＣＤ２などに関する全隊員の情報を、この隊員マスタにおいて隊員毎に管理している。例えば、災害場所から最も近い署所が判明した場合に、この署所ＣＤを用いることで該当署所に所属する隊員情報を抽出することができる。また、編成条件として経験を判断する場合には、入隊年月日が判断に用いられる。
【００３２】
（ｂ）隊員業務管理マスタ
図５に示すのは、隊員業務管理マスタであり、各隊員が優先的に出動する災害活動の種類を順次表した優先業務ＣＤ１、優先業務ＣＤ２、・・・、優先業務が同一でかつ役職・資格等の条件も同一の場合に選択する順番を表した優先業務ＣＤ選択順１、優先業務ＣＤ選択順２、・・・、などの情報をこの隊員業務管理マスタにおいて管理している。
【００３３】
（ｃ）隊員取得資格マスタ
図６に示すのは、隊員取得資格マスタであり、取得資格ＣＤ１、取得資格ＣＤ２、・・・、というようにして各隊員が取得した資格を管理している。この隊員取得資格マスタの取得資格ＣＤを用いて編成条件の資格を判断している。
【００３４】
（ｄ）隊員状態管理テーブル
図７に示すのは隊員状態管理テーブルであり、勤怠状況及び動作状態を表す動作状態ＣＤ、出動可能か否かを表す出動可否ＣＤ、入力日時、現在出動中の車両に乗車している場合には乗車車両ＣＤなどの情報をこの隊員状態管理テーブルにおいて管理している。ここで、入力日時は、動作状態ＣＤ又は出動可否ＣＤを入力した日時であり、例えば、一度出動して帰署後に一定時間を経過していない場合にはその隊員を選択しないといった判断を行う場合には、この入力日時を用いる。
【００３５】
（ｅ）隊員乗員人数マスタ
図８に示すのは、隊員乗員人数マスタであり、災害活動毎に最低必要となる隊員の人数及び必須資格を管理するためのマスタである。災害毎に隊員選択パターンを設定するための隊員選択ＣＤ、災害規模を表す災害規模ＣＤ、災害への対応に必要な業務内容を表した業務ＣＤ、該当する活動を行うのに必要な隊員数を表した最低乗員人数、最低乗員人数内にて車両を編成するために必要な資格を表した必須資格ＣＤ１、必須資格ＣＤ２、・・・、必須資格ＣＤ毎に必要な人数を表した必須資格ＣＤ人数１、必須資格ＣＤ人数２、・・・、最低乗員人数内にて車両を編成するときに必要な部隊長の役職を表した部隊長選択ＣＤなどの情報をこの隊員乗員人数マスタで管理している。隊員選択ＣＤとして、例えば、標準救急活動、救命処置救急活動、消火活動、先行救急活動、救助活動などがあり、この活動毎に異なる人数、異なる必須資格等が設定されている。
【００３６】
（ｆ）車両マスタ
図９に示すのは、車両マスタであり、車両毎に定められた番号である車両ＣＤ、所属している署所の場所を表した署所ＣＤ、車両毎の名称を表した車両名、車種を表した車種ＣＤ、運転する機関員を優先順に登録した機関員優先ＣＤ１、機関員優先ＣＤ２、・・・、などに関する全車両の情報を、車両毎に管理している。
【００３７】
（ｇ）車両管理テーブル
図１０に示すのは、車両管理テーブルであり、車両の動態が入力された日時を表した動態記録日時、車両の現在の状態を表した車両動態ＣＤ、車両が編成可能か否かを表した出動可否ＣＤ、などの情報をこの車両管理テーブルで管理している。ここで、救急車の場合の車両動態ＣＤとしては、待機、出動、現場到着、現発（搬送開始）、病着（搬送完了）、引揚、帰署、署外活動、などがある。
【００３８】
また、これ以外に消防車の場合には、開始（消火）、完了（消火）などがある。これらの車両動態ＣＤは、各車両に積載された車載端末１５ａ、１５ｂから入力されると、即座に無線送受信端末１４、構内回線網Ｎを介してデータベースサーバ１２に反映される。なお、車載端末１５ａ、１５ｂからは、これらの各車両に搭乗している隊員の隊員ＣＤも、車両動態ＣＤと同時にデータベースサーバ１２に送信される。
【００３９】
（ｈ）隊員編成マスタ
図１１に示すのは隊員編成マスタであり、災害の発生した地区を表す地区ＣＤ、発生した災害の種別を表す災害種別ＣＤ、発生した災害の区分を表す災害区分ＣＤ、災害内容毎に隊員選択ＣＤを優先順に登録した隊員選択ＣＤ１、隊員選択ＣＤ２、・・・、などの情報をこの隊員編成マスタで管理している。通報があった場合には、通報者から災害発生地区、災害種別、災害区分、災害規模などの情報を得るが、このうち災害発生地区から地区ＣＤが設定され、災害種別、災害区分の情報から災害種別ＣＤ、災害区分ＣＤが設定され、これにより、最も近い署所又は車両が判別され、また、優先すべき隊員選択ＣＤが判明する。
【００４０】
（ｉ）車両設定マスタ
図２（Ａ）に示すのは車両設定マスタであり、本発明による出動済み車両の事案取込機能の対象となる車両を区別している。この例において、広報車は事案に対応する車両から除外するため、事案取込の欄で不可となっており、その他の車両は事案に取込可能として設定している。
【００４１】
（ｊ）動態管理設定マスタ
図２（Ｂ）に示すのは動態管理設定マスタであり、本発明による出動済み車両の事案取込機能の対象となる動態を区別している。本発明では、指令外出動車両を、その動態に関係なく、全ての事案に取り込むことが可能であるが、消防車で消火が完了したり、救急車で病院への搬送が完了した車両を事案に取り込んでも意味がないため、予め、取り込まれる指令外出動車両の動態を制限している。この例において、車両の動態が出動、現場到着、開始／現発、待機の時に取込みを可能にするように設定している。
【００４２】
（ｋ）出動車両取込範囲時間マスタ
図２（Ｃ）に示すのは出動車両取込範囲時間マスタであり、自動編成されて出動指令が発行された事案の指令時刻と、指令外出動車両の出動時刻との時間差を規定するもである。ここで規定されている時間差以内であれば、本発明による出動車両取込機能の対象となる。この時間以上の差が有れば取込み対象となる事案ではないと判断する。これは、自動的に事案への車両取込を行なった時に、意図しない事案に取り込まれることを防止するためである。これは全く関係のない事案、つまり、時間的にかけ離れた事案への車両取込みを禁止するために必要な機能である。
【００４３】
以上のような構成に基づいて、実際に通報があった場合の自動出動編成処理の流れを簡単に説明する。
【００４４】
先ず、通報者からの通報は、通報元電話機１６から公衆回線網を介して指令台１１に接続されて受付けられる。ここで、通報者から災害種別、災害区分、災害規模、災害地域などの災害に関する情報を得て、これらの情報から図１１に示す隊員編成マスタを参照して災害内容に該当するレコードを抽出する。例えば、災害種別が救急で災害区分が急病の場合には、最も優先して選択される隊員選択ＣＤ１として標準救急活動が選択される。また、この段階で災害発生場所に近い順に署所及び車両を抽出し、最も近い署所又は車両にて最初に編成を試みる。
【００４５】
次に図８に示す隊員乗員人数マスタを参照して、前述の選択された隊員選択ＣＤに該当するレコードを抽出する。具体的には、選択された隊員選択ＣＤに該当する最低乗員人数、必須資格ＣＤ、必須資格人数、部隊長選択ＣＤを抽出する。例えば、標準救急活動の隊員選択ＣＤ１に該当する最低乗員人数は３人、必要な必須資格は機関員１人、また、救急隊長又は副隊長を１人をそれぞれ選択する旨のデータを抽出する。
【００４６】
次に、図７に示す隊員状態管理テーブルを参照して、現在編成を試みている当該署所又は車両における出動可能な隊員を抽出し、この抽出された隊員の中からさらに、前に抽出した最低乗員人数、必須資格ＣＤ、必須資格人数、部隊長選択ＣＤを用いて出動隊員を選択する。具体的には、図４に示す隊員マスタの役職ＣＤから部隊長選択ＣＤを用いて必要な役職を保持した隊員を判断し、図５に示す隊員業務管理マスタの優先業務ＣＤ及び優先業務ＣＤ選択順から選択する隊員の優先順位を判断し、図６の隊員取得資格マスタの取得資格ＣＤから必要な資格を保持した隊員を判断し、これらの条件を満たした最低乗員人数分の隊員を選択する。
【００４７】
以上において隊員の編成を行った結果、必要な隊員の編成が出来たか否かを判断する。ここで編成できなかった場合には、最初の編成の場合に用いた隊員選択ＣＤ１の次に優先度の高い隊員選択ＣＤ２に変更して、再編成を試みる。それでも編成できない場合には、現在編成を試みている当該署所又は車両の次に災害現場に近い署所又は車両に対象を切替えて、再度、編成を試みて、以降、隊員の編成が完了するまでこの動作を繰返す。
【００４８】
次に、必要な隊員の編成が完了したと判断した場合には、図９に示す車両マスタを参照して、隊員の編成で選択された機関員が優先的に運転する車両を選択する。そして、図１０に示す車両管理テーブルを参照して、選択した車両が出動可能か否かを判断する。
【００４９】
そして、車両が出動可能か否かを判断した結果、車両の編成が出来たか否かを判断する。ここで車両の編成ができなかった場合には、当該機関員が優先的に運転する車両が他にもあるか確認し、あると判断した場合には再度車両の再編成を行う。以降、車両の編成が完了するまで処理を繰返すが、機関員が優先的に運転する車両が全て出動不可の場合には、現在の隊員の編成では車両の編成ができないため、現在編成を試みている当該署所又は車両の次に災害現場に近い署所又は車両に対象を切替えて、また最初から編成をやり直す。
【００５０】
そして、車両の編成が完了したと判断した場合には、編成した隊員と車両を指定して、当該署所の署所端末１３又は当該車両の車載端末１５に対して出動指示（指令書の発行）を行う。出動指示を受けた当該署所又は車両では、指示内容に基づいて災害現場に出動する。これ以降、この指令済出動車両は指定された隊編成に基づいて、指令台の指令員から指示を受けながら対応する災害の解決に従事する。
【００５１】
図３（Ａ）はこのようにして自動出動編成された出動編成テーブルの一例であり、出動指令が行なわれた後の状態を示している。
【００５２】
図３（Ａ）の例では、災害種別が火災である事案番号００１がすでに出動編成を完了し、２００４年１２月２１日、午前０時４１分に出動の指令が発行され、現在この事案が進行中であることを示している。この事案に関しては、ポンプ１とタンク１との２台の車両が現在出動中である。
【００５３】
一方、災害種別が救急である事案番号００２がすでに出動編成を完了し、２００４年１２月２１日、午前０時４５分に出動の指令が発行され、現在この事案が進行中であることを示している。この事案に関しては、高規格救急１の車両が現在出動中である。
【００５４】
また、これらの事案とは別に２台の指令外車両が署所の判断により出動している。１台目は、車両名：救急１（車両ＣＤ：００１）であり、２００４年１２月２１日００時４０分に出動し、２台目は、車両名：ポンプ３（車両ＣＤ：００６）であり、２００４年１２月２１日００時４３分に出動している。
【００５５】
車両名：救急１は事案番号００１の指令に先立って出動しており、事案番号００１の災害現場へ出動中である。また、車両名：ポンプ３は事案番号００１、及び事案番号００２のいずれでもない新たな災害現場へ出動中である。なお、これらの車両は後述する図３（Ｂ）の出動編成テーブル（指令外）と対応している。
【００５６】
このような状況において、本発明による出動車両取込機能（手段）について詳細に説明する。なお、このシステムにおける自動出動編成、及び出動車両取込のプログラムは、指令台１１内の制御部で実行されている。従って以下、このプログラムの実行主体を指令台１１として説明する。
【００５７】
このシステムで管理される車両は、前述のように車載端末１５ａや車載端末１５ｂを備えている。これらの車載端末は音声による無線通信の他に、データの送受信機能を備えており、この車載端末を介して、端末を搭載している車両の車両ＣＤ（００１）や動態データや搭乗している隊員の隊員ＣＤ（００００３、００００１、００００２）のデータを、無線送受信端末１４、構内回線網Ｎを介してデータベースサーバ１２へ送信する。具体的には車両が出動した時に搭乗している隊員が、隊員の隊員ＣＤを車載端末に登録し、車載端末に備えられている『出動』の動態ボタンを押下することにより、前述した各データが送信される。
【００５８】
これを受信したデータベースサーバ１２は、車両の車両ＣＤと動態データで図１０に示す車両管理テーブルを更新する。この時、動態記録日時も同時に更新される。一方、受信した隊員ＣＤのデータで図７に示す隊員状態管理テーブルを更新する。これらの情報は出動指令の有無に係わらず、車両の動態が変化した時に更新される。
【００５９】
従って、指令台１１では、車両管理テーブルを常に監視していれば、車両の動態が変化した時、図３（Ａ）の出動編成テーブルに登録されている出動車両以外の車両を指令外の出動車両であると認識できる。そして、この車両を抽出した場合は図３（Ｂ）に示す出動編成テーブル（指令外）をデータベースサーバ１２の内部に作成する。この処理は指令台１１内の指令外出動編成作成手段で行なわれる。
【００６０】
指令台１１では、指令外の出動車両の車両ＣＤ（００１）により、図９に示す車両マスタから車両名（救急１）を抽出する。また、車両ＣＤ（００１）により、図１０の車両管理テーブルから車両ＣＤ（００１）の現在の動態（出動）と、出動時刻となる動態記録日時（２００４／１２／２１  ００：４０：００）とを、また、図７に示す隊員状態管理テーブルから、この車両に搭乗している隊員の隊員ＣＤ（００００３、００００１、００００２）をそれぞれ抽出する。
【００６１】
さらに、抽出した隊員ＣＤ（００００３、００００１、００００２）により、図４に示す隊員マスタから、役職ＣＤを、また、図６に示す隊員取得資格マスタから、取得資格ＣＤをそれぞれ抽出する。以上の抽出したデータを基にして図３（Ｂ）の出動編成テーブル（指令外）をデータベースサーバ１２の内部に作成する。指令外の出動車両が他にも存在すれば同様の方法で、テーブルを作成する。この例では車両名：救急１と車両名：ポンプ３とが指令外の出動車両としてテーブルに登録されている。
【００６２】
指令台１１では、出動編成テーブル（指令外）を作成すると、指令台１１に備えられている図示しない表示装置に、この情報（動態、動態の開始日時、対象車両）をポップアップ表示（事案取込確認）し、指令員に指令外出動車両を事案に取り込む旨のメッセージ、例えば図１３（Ａ）の表示画面を表示する。
【００６３】
この例では取込み可能な事案が複数存在するので、事案選択を促すメッセージを表示しているが、進行中の事案が１件で。かつ、指令外出動車両が１台の場合はメッセージとして『出動車両を事案に取り込みました。』を表示し、指令員の指示なしで自動的に進行中の事案に指令外出動車両を該当事案に取り込む。
【００６４】
図１３（Ａ）の表示画面のように複数の事案が有る場合は、画面を切り替えて進行事案の一覧表画面を表示させ、取込み先の事案をクリックして選択する。そして、表示されている『車両取込』ボタンをクリックすることで取込みが完了する。ただし、取込みの対象となる車両が複数台存在する場合は、図１３（Ｂ）に示す取込車両確認の画面が表示され、取込みの対象となる車両を選択する。
【００６５】
実際の取込み作業は出動編成テーブル（指令済）で示されるデータ領域に、出動編成テーブル（指令外）で示されるデータ領域内のデータを書き込むことで行なわれる。この２つのテーブルの関係は前述したように指令台１１の画面表示と、これに対応した指令員の操作で決定される。従って、図３の出動編成があった場合に図１３で説明した選択操作において、例えば『事案番号：００１に車両名：救急１を取り込む』が指令員により行なわれると、指令台１１は、図３（Ａ）の出動編成テーブル（指令済）の事案番号：００１の所定位置と対応するデータ領域に、図３（Ｂ）の出動編成テーブル（指令外）内の車両名：救急１のデータを書き込む。なお、元データである図３（Ｂ）の出動編成テーブル（指令外）内の車両名：救急１のデータは消去される。
【００６６】
このように、出動編成テーブル（指令済）領域に出動編成テーブル（指令外）領域のデータを書き込むことが、自動的に、または、指令員の操作により行なうことができるが、この処理を無条件に行うと無駄な取込みを行なう場合がある。
【００６７】
例えば、消火活動が終了した事案へ指令外の出動車両を取り込んだり、消火活動での出動中事案であっても、広報車などを取り込むことは意味がないため操作を禁止している。また、自動編成されて出動指令が発行された事案の指令時刻と、指令によらないで先に出動した指令外出動車両の出動時刻との時間差が所定の値以上であれば取込み対象となる事案ではないと判断し、取込みを禁止している。
【００６８】
このような禁止条件は出動編成テーブル（指令外）が作成される前にチェックされる。具体的には、動態変化のあった車両名が、図２（Ａ）の車両設定マスタ内で検索され、事案取込みが可能かチェックされる。また、動態変化のあった車両の動態が、図２（Ｂ）の動態管理設定マスタ内で検索され、事案取込みが可能かチェックされる。
【００６９】
さらに、動態変化のあった車両の出動時刻と、図３（Ａ）の出動編成テーブル（指令済）内の各事案ごとの指令時刻との時間差が算出され、この時間差が図２（Ｃ）の出動車両取込範囲時間マスタで規定された値以下（取込み可能）であるかチェックされる。
【００７０】
これらのチェックを行なって全て取込み可能な時のみ、出動編成テーブル（指令外）が作成され、前述した事案取込確認の画面が表示されて取込み機能が有効になる。これらのチェックで１つでも取込み不可の項目があれば、事案取込確認の画面を表示しない。
【００７１】
以上説明したように、出動編成（指令外）を出動編成（指令済）の隊編成に取り込むことができ、隊編成の変更に伴う指令員の負担を低減させ、また、隊編成の修正作業を正確に行なうことができる。
【００７２】
また、出動編成（指令済）と指令外出動車両とがそれぞれ１つだけの場合、自動的に出動編成（指令済）の隊編成に取り込み、出動編成（指令済）と指令外出動車両とが複数存在する時に、指令手段を操作する指令員からの選択指示に従って隊編成に取り込むので、隊編成の変更に伴う指令員の負担を最小限にすることができる。
【００７３】
また、出動車両取込機能の対象となる指令外出動車両を選択する選択条件を予め設定できるので、事案の解決に必要でない無駄な車両の取込みを防止することができる。
【００７４】
次に図１２を用いて出動車両取込処理（出動車両取込手段）での処理の流れを説明する。図１２（Ａ）及び図１２（Ｂ）は指令台（指令手段）で実行されるプログラムを表すフローチャートであり、ＳＴはステップを表し、これに続く数字はステップ番号を、また、ＹはＹｅｓを、ＮはＮｏをそれぞれ表している。なお、前述したように各車両の動態データ（隊員ＣＤデータも含む）は、各車両の動態が変化した時にデータベースサーバに送信され、データベースサーバ内の対応するテーブルが更新されるものとする。
【００７５】
図１２（Ａ）において先ず指令台は、データベースサーバ内の車両管理テーブルを確認し、車両動態が変化した車両、例えば、『待機』から『出動』に変化した車両を『車両の動態変化あり』として確認する（ＳＴ１）。車両の動態変化がない場合は（ＳＴ１−Ｎ）、ＳＴ１へジャンプする。
【００７６】
そして、動態変化した車両がある場合（ＳＴ１−Ｙ）、進行事案の車両か確認する。具体的には、この動態変化した車両が出動編成テーブル（指令済）の出動車両として登録されているか確認する（ＳＴ２）。進行事案の車両の場合は（ＳＴ２−Ｙ）、ＳＴ１へジャンプする。
【００７７】
次に、動態変化した車両は取込み可能か確認する（ＳＴ３）。このため、この動態変化した車両の車両名称で車両設定マスタを検索し、事案に取込みが可能な車両か確認する。また、この動態変化した車両の動態で動態管理設定マスタを検索し、事案に取込みが可能な動態か確認する。
【００７８】
さらに、動態変化した車両の出動時刻（車両管理テーブルでの動態記録日時から抽出）と、出動編成テーブル（指令済）における各事案の指令時刻との時間差を算出する。そして、この算出した時間差が、出動車両取込範囲時間マスタで設定された時間、ここでは１０分以内か確認する。算出した時間差が１０分以内であれば事案に取込みが可能であると判断する。
【００７９】
この３つの確認のうち、いずれかでも事案に取込みが不可である場合（ＳＴ３−Ｎ）、ＳＴ１へジャンプする。この３つの確認において、いずれも事案に取込みが可能である場合（ＳＴ３−Ｙ）、次に、この動態変化した車両について、図３（Ｂ）で説明した出動編成テーブル（指令外）を作成する（ＳＴ４）。なお、このステップ４が指令外出動編成作成手段である。次に、出動編成テーブル（指令済）を検索し、現在進行中の事案が複数あるか確認する（ＳＴ６）。
【００８０】
現在進行中の事案が複数ある場合（ＳＴ６−Ｙ）、複数事案選択メッセージ、例えば図１３（Ａ）で説明した画面を指令台に表示する（ＳＴ７）。そして、指令員による事案の選択操作を行って事案を選択し（ＳＴ８）、次に取込み車両が複数あるか確認する。具体的には、出動編成テーブル（指令外）での出動済み車両（取込み可能な車両）の数をカウントし、２台以上の存在を確認する（ＳＴ９）。取込み車両が複数ある場合は（ＳＴ９ーＹ）、指令員による取込車両の選択操作を行って取込み車両を選択し（ＳＴ１０）、選択された取込み車両を選択された事案へ取り込む出動車両取込のサブルーチンを実行する（ＳＴ１１）。
【００８１】
図１２（Ｂ）に示すように、この出動車両取込のサブルーチンは、出動編成テーブル（指令外）の該当車両データを、出動編成テーブル（指令済）の該当事案エリアに移動する（ＳＴ１９）。つまり、指令員により選択された、もしくは、１つだけ存在する事案のデータエリアへ、指令員により選択された、もしくは、１台だけ存在する取込み車両のデータを移動させる。従って、このサブルーチンが１回実行されると、取込みされる車両のデータが、１台分ずつ減っていくことになる。
【００８２】
一方、取込み車両が複数でない場合、つまり、取込み車両が１台のみの場合は（ＳＴ９ーＮ）、指令員による取込車両の選択操作を行う必要がないので、ＳＴ１１へジャンプする。そして、出動車両取込のサブルーチン（ＳＴ１１）を実行した後、全ての取込みが終了したか確認する。つまり、取込み車両を全て取り込んで、出動編成テーブル（指令外）が存在しなくなったか確認する（ＳＴ１２）。取込みが終了していない場合は（ＳＴ１２−Ｎ）、ＳＴ８へジャンプする。取込みが全て終了したら（ＳＴ１２−Ｙ）、ＳＴ１ジャンプして最初から繰り返す。
【００８３】
一方、現在進行中の事案が複数でない場合（ＳＴ６−Ｎ）、つまり、現在進行中の事案が１つしかない場合は、取込み車両が複数あるか確認する（ＳＴ１３）。取込み車両が複数ある場合は（ＳＴ１３ーＹ）、指令員による取込車両の選択操作を行って取込み車両を選択し（ＳＴ１４）、選択された取込み車両を現在の事案へ取り込む出動車両取込のサブルーチンを実行する（ＳＴ１５）。そして、全ての取込みが終了したか確認する（ＳＴ１６）。取込みが終了していない場合は（ＳＴ１６−Ｎ）、ＳＴ１４へジャンプする。取込みが全て終了したら（ＳＴ１６−Ｙ）、ＳＴ１ジャンプして最初から繰り返す。
【００８４】
一方、取込み車両が複数でない場合は（ＳＴ１３ーＮ）、進行中の事案が１つで、かつ、取込み車両も１台であるため、この１台を現在の事案へ取り込む出動車両取込のサブルーチンを実行する（ＳＴ１７）。そして、自動的に取り込んだことを指令員に通知するため、出動車両取込終了のメッセージを指令台に表示させる（ＳＴ１８）。そして、ＳＴ１へジャンプして最初から繰り返す。
【００８５】
このようにして、出動編成（指令済）を現状の出動車両の状態と一致させることができる。従って、この最新状態の出動編成（指令済）を用いて、指令員が以後の事案対応を正確に行なうことができる。なお、ＳＴ８、ＳＴ１０、ＳＴ１４の各ステップが人の操作による選択手段であり、選択のための表示とキー入力／マウスによる選択指示を受け付けるようになっている。
【００８６】
以上のように本発明による通信指令プログラムによれば、新規にこの機能を追加したり、既存の通信指令プログラムと代替することにより、指令外出動車両を、出動編成（指令済）に取り込むことができ、隊編成の変更に伴う指令員の負担を低減させ、また、隊編成の修正作業を正確に行なうことができる。
【００８７】
以上説明した実施例において、各種マスタやテーブルをデータベースサーバ（記憶手段）に設けているが、これに限るものでなく、通信回線で接続されていれば、システム内の他の機器に内蔵されていてもよい。
【００８８】
さらに、また、出動車両取込処理における制御の主体（指令手段）を指令台として説明しているが、これに限るものでなく、通信回線で接続されていれば、システム内の他の機器、例えばデータベースサーバが制御の主体となってもよい。
【００８９】
また、指令外出動編成作成手段や選択手段が備えられている機器は、通信回線網で接続された通信指令システム内の他の機器、例えば車載端末に備えられていてもよい。
【図面の簡単な説明】
【００９０】
【図１】本発明の通信指令システムの全体構成を示した模式図である。
【図２】図１のデータベースサーバ１２に格納されている、（Ａ）は車両設定マスタを、（Ｂ）は動態管理設定マスタを、（Ｃ）は出動車両取込み範囲時間マスタをそれぞれ表す模式図である。
【図３】本発明による出動編成テーブルを示す模式図であり、（Ａ）は出動編成テーブル（指令済）を、（Ｂ）は出動編成テーブル（指令外）をそれぞれ示す。
【図４】データベースサーバに格納されている隊員マスタを表した模式図である。
【図５】データベースサーバに格納されている隊員業務管理マスタを表した模式図である。
【図６】データベースサーバに格納されている隊員取得資格マスタを表した模式図である。
【図７】データベースサーバに格納されている隊員状態管理テーブルを表した模式図である。
【図８】データベースサーバに格納されている隊員乗員人数マスタを表した模式図である。
【図９】データベースサーバに格納されている車両マスタを表した模式図である。
【図１０】データベースサーバに格納されている車両管理テーブルを表した模式図である。
【図１１】データベースサーバに格納されている隊員編成マスタを表した模式図である。
【図１２】本発明による出動車両取込の流れを表したフローチャート図である。
【図１３】指令台での画面表示の例であり、（Ａ）は事案取込確認を、（Ｂ）は取込車両確認をそれぞれ促す表示である。
【図１４】従来の出動編成テーブルを示す説明図である。
【符号の説明】
【００９１】
１１  指令台( 指令手段) 
１２  データベースサーバ（記憶手段）
１３ａ、１３ｂ  署所端末
１４  無線送受信端末
１５ａ、１５ｂ  車載端末
１６  通報元電話機
２０  本部
Ｎ  構内回線網
【図１】
2008186177.tif 000003
【図２】
2008186177.tif 000004
【図３】
2008186177.tif 000005
【図４】
2008186177.tif 000006
【図５】
2008186177.tif 000007
【図６】
2008186177.tif 000008
【図７】
2008186177.tif 000009
【図８】
2008186177.tif 000010
【図９】
2008186177.tif 000011
【図１０】
2008186177.tif 000012
【図１１】
2008186177.tif 000013
【図１２】
2008186177.tif 000014
【図１３】
2008186177.tif 000015
【図１４】
2008186177.tif 000016